(57)【要約】【課題】  金属で形成された前面カバーと後面カバーで構成されたカメラの外観部品の合わせに関し、カバー相互のズレが発生せずに正確に合致させることを可能とし、外観の良好なカメラを得る。【解決手段】  前面カバーと後面カバーのいずれか一方のカバーの内面の少なくとも一部に沿って形成されると共に、他方のカバー側まで延伸された延伸部が形成されたカバー内側部材を有し、延伸部のカメラ内側への変形を防止する支持部材を設けたカメラとする。【選択図】        図３
2007052334.tif 000002
【特許請求の範囲】
【請求項１】
前面カバーと後面カバーとで外観を覆うように構成されたカメラにおいて、
前記前面カバーと前記後面カバーのいずれか一方のカバーの内面の少なくとも一部に沿って形成されると共に、他方のカバー側まで延伸された延伸部が形成されたカバー内側部材を有し、
前記延伸部のカメラ内側への変形を防止する支持部材を設けたことを特徴とするカメラ。
【請求項２】
前記前面カバーと前記後面カバーは金属材料で形成され、前記カバー内側部材は樹脂材料で形成されていることを特徴とする請求項１に記載のカメラ。
【請求項３】
前記支持部材は、カメラ内部に配置される他の部材の少なくとも一つを保持していることを特徴とする請求項１又は２に記載のカメラ。
【請求項４】
前記カバー内側部材は、カメラ内部に配置される他の部材の少なくとも一つを保持していることを特徴とする請求項１〜３のいずれか１項に記載のカメラ。
【発明の詳細な説明】
【技術分野】
【０００１】
本発明は、金属で形成された前面カバーと後面カバーで外観が構成されたカメラに関するものである。
【背景技術】
【０００２】
従来より、金属の板材をプレス加工してカバー形状を形成し、カメラの外観部品として用いることが一般的に行われている。また、従来のフィルムカメラに換わり、固体撮像素子を用いて被写体像を光電変換し、所定の処理を施して画像をデータ化し記録媒体に記録する電子カメラが一般的になっている。
【０００３】
このような電子カメラの金属カバーの組み付け構成は、撮影レンズの被写体光入射側の面であるカメラ前面を覆う前面カバーと、画像表示装置等が配置されたカメラ後面を覆う後面カバーとで構成されているものが多い。この場合、前面カバーと後面カバーのいずれか一方のカバーの内面に沿って組み付けられたカバー内側部材に、他方のカバー側まで延伸した延伸部を形成し、他方のカバーが延伸部と重なるように組み付けられている。
【０００４】
このようなカバー構成のカメラに関し、導電性の金属で形成された前後面カバーの間に、メッキ処理された操作釦が配置された樹脂製の中間カバーを設け、操作釦の腕部を前後カバーに圧接して、外部から釦を介して飛び込む静電気をカバーを介してグランドに吸収させ、内部の電気回路を保護するカメラが開示されている（例えば、特許文献１参照）。
【特許文献１】特開２００４−８７２２０号公報
【発明の開示】
【発明が解決しようとする課題】
【０００５】
しかしながら、従来の構成である、前面カバーと後面カバーのいずれか一方のカバーの内面に沿って組み付けられたカバー内側部材に、他方のカバー側まで延伸した延伸部を形成し、他方のカバーが延伸部と重なるように組み付けるものでは、延伸部が片持ち形状となっている。このため、他方のカバーが組み付けられるとき、延伸部が屈曲する場合があり、双方のカバー端面の合わせがずれる問題があった。
【０００６】
この問題は、前面カバーと後面カバーの端面同士を当接させるよう構成された場合、特に顕著に外観上の問題となる。
【０００７】
この問題は、上記特許文献１に記載のカメラにおいても、中間カバーが用いられない部位で、より顕著な問題となる。
【０００８】
本発明は上記問題に鑑み、金属で形成された前面カバーと後面カバーで構成されたカメラの外観部品の合わせに関し、カバー相互のズレが発生せずに正確に合致させることを可能とし、外観の良好なカメラを得ることを目的とするものである。
【課題を解決するための手段】
【０００９】
上記の課題は、以下の構成で解決される。
【００１０】
１）  前面カバーと後面カバーとで外観を覆うように構成されたカメラにおいて、前記前面カバーと前記後面カバーのいずれか一方のカバーの内面の少なくとも一部に沿って形成されると共に、他方のカバー側まで延伸された延伸部が形成されたカバー内側部材を有し、前記延伸部のカメラ内側への変形を防止する支持部材を設けたことを特徴とするカメラ。
【００１１】
２）  前記前面カバーと前記後面カバーは金属材料で形成され、前記カバー内側部材は樹脂材料で形成されている１）のカメラ。
【００１２】
３）  前記支持部材は、カメラ内部に配置される他の部材の少なくとも一つを保持している１）又は２）のカメラ。
【００１３】
４）  前記カバー内側部材は、カメラ内部に配置される他の部材の少なくとも一つを保持している１）〜３）のいずれかのカメラ。
【発明の効果】
【００１４】
本発明によれば、金属で形成された前面カバーと後面カバーで構成されたカメラの外観部品の組み付けに際し、カバー相互のズレの発生の無い、外観の良好なカメラを得ることが可能となる。
【発明を実施するための最良の形態】
【００１５】
以下、実施の形態により本発明を詳しく説明するが、本発明はこれに限定されるものではない。
【００１６】
図１は、本実施の形態に係るカメラ１００の外観図である。同図（ａ）はカメラの前面図であり、同図（ｂ）はカメラの後面図である。
【００１７】
同図に示すように、カメラ１００の上側面にはメインスイッチ釦１６とレリーズ釦１７が配置されている。
【００１８】
同図（ａ）に示す、２１は前面カバーである。１ｋは屈曲光学系で構成された撮像光学系ユニット（不図示）の被写体光入射開口部であり、この被写体光入射開口部１ｋには、バリア部材３が配置されており、メインスイッチ釦５１の操作に応じて、不図示のアクチュエータによりバリア部材３は、被写体光入射開口部１ｋの前面を覆う位置と、被写体光入射開口部１ｋを露呈する位置とに移動させられる。被写体光入射開口部１ｋの左側には、フラッシュ発光部５４が配置されている。
【００１９】
同図（ｂ）に示す、２３は後面カバーである。５５はズーム釦でありズームアップ、ズームダウンをおこなう釦である。５６はメニュー釦、５７は選択釦で４方向スイッチであり、５８はセット釦である。３０は画像表示装置であり画像やその他文字情報等を表示する。メニュー釦５６で、画像表示装置３０上に各種のメニューを表示させ、選択釦５７で選択し、セット釦５８で確定させる機能を有している。５９は再生釦で、撮影した画像の再生をおこなう釦である。６０は消去釦で、撮影記録した画像の消去をおこなう釦である。
【００２０】
なお、不図示であるが三脚座、ＡＣアダプタの接続端子、外部機器との接続のための接続端子等がカメラ１００の底面に配置され、本カメラの電源を供給する電池の挿脱のための電池蓋、撮影した画像を記録するカード型のリムーバブルメモリを挿脱するためのカード蓋等がカメラ１００の側面に配置されている。
【００２１】
図２は、本実施の形態に係るカメラ１００の主要部品の内部レイアウトの概略を示す模式図である。なお、以下の図においては、説明の重複を避けるため、同機能部材には同符号を付与して説明する。
【００２２】
同図において、１は撮像光学系ユニットである。本例に示した撮像光学系ユニット１は、光学系中に光軸を略直角に折り曲げるための反射部材が配置された屈曲光学系が用いられている。破線で示した１ｋは、撮像光学系ユニット１の被写体光が入射する開口部である。２は撮像素子であり、ＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等の固体撮像素子である。３はバリアであり、撮像光学系ユニット１の開口部１ｋを開閉する。４はバリア駆動モータである。
【００２３】
５はフラッシュ発光を行うキセノン管であり、６は反射傘である。７はフラッシュ発光用の電荷を蓄積するメインコンデンサである。
【００２４】
８はカードアダプタ、９はメモリカード、１０は電池、１１はマイク、１２は外部機器との接続端子部であり、例えばＵＳＢ端子である。１３はスピーカ、１４はＡＣアダプタ接続端子部、１５は三脚座である。１６はメインスイッチ釦、１７はレリーズ釦であり、メインスイッチ釦１６及びレリーズ釦１７の下にはそれぞれスイッチ部材が配置されている。１８はストラップ取り付け部である。
【００２５】
また、図示しないが、これらを電気的に接続するコネクタ、電子部品等の実装されたプリント基板が設けられている。
【００２６】
図３は、本実施の形態に係るカメラ１００の断面図である。同図は、図１に示すＦ−Ｆ線で切断した断面の概略を示している。
【００２７】
同図において、２１は前面カバーであり、２３は後面カバーである。前面カバー２１と後面カバー２３は、金属の板材をプレス加工して形成されている。また、２２はカバー内側部材であり、同図に示すように、樹脂材料で前面カバー２１の内面に沿うように形成され、後面カバー２３側まで延伸部２２ｅが延伸されて形成されている。この、カバー内側部材２２は前面カバー２１に接着又は両面粘着テープ等で固定されている。
【００２８】
更に、延伸部２２ｅは、支持部材２４に形成された支持部２４ｓによりカメラ内側から支持されている。この支持部材２４の支持部２４ｓにより、カバー内側部材２２の延伸部２２ｅのカメラ内側への変形を防止するようになっている。これにより、カバー内側部材２２は後面カバー２３が組み付けられる際の正確な位置決めガイド部材として機能させることが可能となり、前後面カバーの合わせ部で相互のズレが発生せずに正確に合致させることのできる外観の良好なカメラとすることができる。
【００２９】
また、本例では図示の如く、支持部材２４は、支持部２４ｓによりカバー内側部材２２の延伸部２２ｅを支えると共に、カメラ後面に配置された画像表示装置３０を保持する部材でもある。このように、カメラ内部で使用される他の構成部品を兼用することで、新規部品の発生が無く、低コストで、上記効果を得ることができる。
【００３０】
更に、カバー内側部材２２もカメラ内部で使用される他の構成部品を保持するよう構成することができ、新規部品の発生が無く、低コストとすることができる。
【００３１】
図４は、本実施の形態に係るカメラ１００の他の部位の断面図である。同図は、図１に示すＧ−Ｇ線で切断した断面の概略を示している。
【００３２】
同図に示すように、この断面ではカバー内側部材２２の一部に前面カバー２１と後面カバー２３の間に位置するように突出部２２ｔが形成されている。このような部位においても、カバー内側部材２２は、前面カバー２１の内面に沿うように形成され、後面カバー２３側まで延伸部２２ｅが延伸されて形成されている。
【００３３】
更に、延伸部２２ｅは、支持部材２４に形成された支持部２４ｓによりカメラ内側から支持されている。この支持部材２４の支持部２４ｓにより、カバー内側部材２２の延伸部２２ｅのカメラ内側への変形を防止するようになっている。このような構成の場合にも、上記と同様の効果を得ることができる。
【００３４】
なお、上記の説明においては、カバー内側部材を前面カバーに固定された例で説明したが、これに限るものでなく、後面カバーに固定するような構成でもよいのは勿論である。また、撮像光学系ユニットが屈曲光学系のカメラで説明したが、これに限るものでなく、沈胴式の撮像光学系ユニットを備えたカメラのカバーにも適用可能であるのはいうまでもない。
【図面の簡単な説明】
【００３５】
【図１】本実施の形態に係るカメラの外観図である。
【図２】本実施の形態に係るカメラの主要部品の内部レイアウトの概略を示す模式図である。
【図３】本実施の形態に係るカメラの断面図である。
【図４】本実施の形態に係るカメラの他の部位の断面図である。
【符号の説明】
【００３６】
１  撮像光学系ユニット
２  撮像素子
３  バリア
４  バリア駆動モータ
５  キセノン管
６  反射傘
７  メインコンデンサ
８  カードアダプタ
９  メモリカード
１０  電池
１１  マイク
１２  外部接続端子
１３  スピーカ
１４  ＡＣアダプタ接続端子
１５  三脚座
１６  メインスイッチ釦
１７  レリーズ釦
１８  ストラップ取り付け部
２１  前面カバー
２２  カバー内側部材
２３  後面カバー
２４  支持部材
３０  画像表示装置
１００  カメラ
【図１】
2007052334.tif 000003
【図２】
2007052334.tif 000004
【図３】
2007052334.tif 000005
【図４】
2007052334.tif 000006